(57)【要約】【課題】  ドアガラスの車幅方向に移動に対して、ドアガラスに対するシール力を向上する。【解決手段】  フロントサイドドア１０のウエザストリップ１２が、インナウエザストリップ部２２とアウタウエザストリップ部２４と、ドアガラス２０の前端部と後端部を囲むように連結した端部シール部３０と、を備えており、端部シール部３０がガラスラン１８のインナシールリップ１８Ｂとアウタシールリップ１８Ｃとの間に挿入されている。【選択図】  図１
2005297794.tif 000002
【特許請求の範囲】
【請求項１】
ドアガラスとドアインナパネルをベルトラインに沿ってシールするインナ側シール部と、ドアガラスとドアアウタパネルをベルトラインに沿ってシールするアウタ側シール部と、前記インナ側シール部と前記アウタ側シール部とをドアガラスの前端部と後端部との少なくとも一方を囲むように連結した端部シール部と、を備えたウエザストリップと、
ウインドフレームに沿って配設されインナシールリップとアウタシールリップとでドアガラスを保持するガラスランと、
を有し、
前記ウエザストリップの端部シール部を、前記ガラスランのインナシールリップとアウタシールリップとの間に挿入したことを特徴とするドアベルトラインシール構造。
【請求項２】
前記ガラスランのインナシールリップとアウタシールリップに形成した切欠に、前記ウエザストリップの端部シール部を挿入したことを特徴とする請求項１に記載のドアベルトラインシール構造。
【発明の詳細な説明】
【技術分野】
【０００１】
本発明はドアベルトラインシール構造に関し、特に、自動車等の車体に適用されるドアベルトラインシール構造に関する。
【背景技術】
【０００２】
従来から、自動車等の車体に適用されるドアベルトラインシール構造においては、ドアインナウエザストリップの下段リップ部に一体的に形成した前後のリップ部突出部でガラスランとドアガラスとの間の平面視略三角形の隙間を塞ぐことにより、風もれ音を消す構成が知られている（例えば、特許文献１参照）。また、ドアフレームに沿って取付けられるガラスランの垂直部とドアインナパネルの上縁に沿って取付けられるガラスインナウエザストリップの端末との衝き合せ部において、ガラスランの垂直部のインナシールリップにはそのガラス当接面からガラスインナウエザストリップのシールリップ方向に延出してシールリップのガラス当接面と重なる遮音リップを形成し、遮音リップにより上記衝き合せ部の隙間開口を遮断する構成が知られている（例えば、特許文献２参照）。
【特許文献１】特開平１０−１９３９７５号公報
【特許文献２】特開２０００−３２６７３４号公報
【発明の開示】
【発明が解決しようとする課題】
【０００３】
しかしながら、特許文献１、２のようなドアベルトラインシール構造では、振動または負圧によって、ドアガラスが車幅方向に移動した場合に、ドアガラスに対するシールリップのシール力が低下し易い。
【０００４】
本発明は上記事実を考慮し、ドアガラスの車幅方向の移動に対して、ドアガラスに対するシール力を向上できるドアベルトラインシール構造を提供することが目的である。
【課題を解決するための手段】
【０００５】
請求項１記載の本発明は、ドアガラスとドアインナパネルをベルトラインに沿ってシールするインナ側シール部と、ドアガラスとドアアウタパネルをベルトラインに沿ってシールするアウタ側シール部と、前記インナ側シール部と前記アウタ側シール部とをドアガラスの前端部と後端部との少なくとも一方を囲むように連結した端部シール部と、を備えたウエザストリップと、
ウインドフレームに沿って配設されインナシールリップとアウタシールリップとでドアガラスを保持するガラスランと、
を有し、
前記ウエザストリップの端部シール部を、前記ガラスランのインナシールリップとアウタシールリップとの間に挿入したことを特徴とする。
【０００６】
従って、ドアガラスとドアインナパネルをベルトラインに沿ってシールするインナ側シール部と、ドアガラスとドアアウタパネルをベルトラインに沿ってシールするアウタ側シール部と、インナ側シール部とアウタ側シール部とをドアガラスの前端部と後端部との少なくとも一方を囲むように連結した端部シール部と、を備えたウエザストリップの端部シール部を、ウインドフレームに沿って配設されインナシールリップとアウタシールリップとでドアガラスを保持するガラスランのインナシールリップとアウタシールリップとの間に挿入した。この結果、ドアガラスの前端部と後端部との少なくとも一方をウエザストリップの端部シール部とガラスランとの双方で支持することができる。このため、ドアガラスの前端部と後端部との少なくとも一方の車幅方向に対する支持剛性が向上すると共に、ドアガラスの車幅方向の移動に対して、ドアガラスに対するシールリップのシール力を向上できる。
【０００７】
請求項２記載の本発明は、請求項１に記載のドアベルトラインシール構造において、前記ガラスランのインナシールリップとアウタシールリップに形成した切欠に、前記ウエザストリップの端部シール部を挿入したことを特徴とする。
【０００８】
従って、請求項１に記載の内容に加えて、ガラスランのインナシールリップとアウタシールリップに形成した切欠に、ウエザストリップの端部シール部を挿入するため、ドアガラスの摺動抵抗の増加を抑制できると共に、成形後のガラスランに後加工で切欠を形成できるため、新たなガラスラン用成形型を必要とせず、コストアップを抑制できる。
【発明の効果】
【０００９】
請求項１記載の本発明は、ドアガラスとドアインナパネルをベルトラインに沿ってシールするインナ側シール部と、ドアガラスとドアアウタパネルをベルトラインに沿ってシールするアウタ側シール部と、インナ側シール部とアウタ側シール部とをドアガラスの前端部と後端部との少なくとも一方を囲むように連結した端部シール部と、を備えたウエザストリップと、ウインドフレームに沿って配設されインナシールリップとアウタシールリップとでドアガラスを保持するガラスランと、を有し、ウエザストリップの端部シール部を、ガラスランのインナシールリップとアウタシールリップとの間に挿入したため、ドアガラスの車幅方向の移動に対して、ドアガラスに対するシール力を向上できるという優れた効果を有する。
【００１０】
請求項２記載の本発明は、請求項１に記載のドアベルトラインシール構造において、ガラスランのインナシールリップとアウタシールリップに形成した切欠に、ウエザストリップの端部シール部を挿入したため、請求項１に記載の効果に加えて、ドアガラスの摺動抵抗の増加を抑制できると共に、コストアップを抑制できるという優れた効果を有する。
【発明を実施するための最良の形態】
【００１１】
本発明におけるドアベルトラインシール構造の一実施形態を図１〜図１０に従って説明する。
【００１２】
なお、図中矢印ＦＲは車体前方方向を、矢印ＵＰは車体上方方向を、矢印ＩＮは車幅内側方向を示す。
【００１３】
図４に示される如く、本実施形態の自動車のフロントサイドドア１０では、フロントサイドドア１０のベルトライン１０Ａに、ドアガラス用のウエザストリップ１２が、フロントサイドドア１０の前後方向、即ち、フロントサイドドア１０を閉じた状態で、車体前後に沿って配設されている。
【００１４】
また、フロントサイドドア１０のウインドフレーム１４の内周には、ウインドフレーム１４に沿ってガラスラン１８が取付けられており、ガラスラン１８とウエザストリップ１２とによって、フロントサイドドア１０のウインド開口とドアガラス２０との間をシールしている。
【００１５】
図３に示される如く、ガラスラン１８は、断面コ字形の本体部１８Ａの開口両端から、ドアガラス２０の周縁部の内面に当接するインナシールリップ１８Ｂとドアガラス２０の周縁部の外面に当接するアウタシールリップ１８Ｃを備えており、これらのインナシールリップ１８Ｂとアウタシールリップ１８Ｃとでドアガラス２０の周縁部を挟持している。
【００１６】
なお、ガラスラン１８は、ウインドフレーム１４の内周部に形成したチャンネル部１４Ａに嵌着されている。
【００１７】
一方、ウエザストリップ１２は、図示を省略した内装トリムを介してフロントサイドドア１０のドアインナパネル１０Ｂ（図４参照）の上縁に取付けられるインナウエザストリップ部２２と、フロントサイドドア１０のドアアウタパネル１０Ｃ（図４参照）の上縁に取付けられるアウタウエザストリップ部２４とが一体的に構成されている。
【００１８】
なお、アウタウエザストリップ部２４には、開口部を下方へ向けた断面Ｕ字状のドア取付部２４Ａが形成されており、アウタウエザストリップ部２４はドア取付部２４Ａにおいて、フロントサイドドア１０のドアアウタパネル１０Ｃ（図４参照）の上縁に取付けられている。
【００１９】
インナウエザストリップ部２２は、上下方向に延設された基部２２Ａから伸び出す上下二段の上側シールリップ２２Ｂと下側シールリップ２２Ｃを備えており、アウタウエザストリップ部２４は、上下方向に延設された基部２４Ｂから伸び出す上下二段の上側シールリップ２４Ｃと下側シールリップ２４Ｄを備えている。また、ウエザストリップ１２は、インナウエザストリップ部２２の上側シールリップ２２Ｂと下側シールリップ２２Ｃと、アウタウエザストリップ部２４の上側シールリップ２４Ｃと下側シールリップ２４Ｄとによって、ドアガラス２０を内外面から挟むようになっている。
【００２０】
図１に示される如く、ウエザストリップ１２の後端部には、インナウエザストリップ部２２とアウタウエザストリップ部２４とを、ドアガラス２０の後端部２０Ａを囲むように連結した端部シール部３０が形成されている。また、ウエザストリップ１２の端部シール部３０のインナ側（車幅方向内側）では、アウタウエザストリップ部２４にインナ側から切欠３２が形成されており、ウエザストリップ１２の端部シール部３０におけるアウタ側には、後方側から切欠３４が形成されている。
【００２１】
図６に示される如く、ガラスラン１８のインナシールリップ１８Ｂには、アウタ側から切欠３６が形成されており、ガラスラン１８のアウタシールリップ１８Ｃには、インナ側から切欠３８が形成されている。
【００２２】
図１に示される如く、ガラスラン１８の切欠３６、３８には、ウエザストリップ１２の端部シール部３０が挿入されている。また、ウエザストリップ１２の切欠３２には、ウインドフレーム１４のチャンネル部１４Ａのインナ側部１４Ｂとガラスラン１８の本体部１８Ａのインナ側部１８Ｄが挿入されており、ウエザストリップ１２の切欠３４には、ウインドフレーム１４のチャンネル部１４Ａのアウタ側部１４Ｃとガラスラン１８の本体部１８Ａのアウタ側部１８Ｅが挿入されている。
【００２３】
図７に示される如く、ウエザストリップ１２の端部シール部３０の後壁部３０Ａには、上下方向を長手方向とする矩形状の凸部４０が形成されている。
【００２４】
図８に示される如く、ウエザストリップ１２の凸部４０は、ガラスラン１８の本体部１８Ａの底部１８Ｆに形成された切欠４２に挿入されている。
【００２５】
図９に示される如く、ウエザストリップ１２の端部シール部３０においては、インナウエザストリップ部２２の下側シールリップ２２Ｃの後端部に、図９に破線のハッチングで示す切欠５０が形成されている。この切欠５０の前部５０Ａは、後端部に向って徐々に広幅とされており、切欠５０の後端５０Ｂは下側シールリップ２２Ｃの全幅となっている。
【００２６】
図１０に示される如く、ウエザストリップ１２の端部シール部３０においては、アウタウエザストリップ部２４の下側シールリップ２４Ｄの後端部に、図１０に破線のハッチングで示す切欠５２が形成されており、この切欠５２の前部５２Ａは、後端部に向って徐々に広幅とされている。
【００２７】
従って、これらの切欠５０、５２によって、ウエザストリップ１２の端部シール部３０におけるドアガラス２０の昇降時の摺動抵抗が大きくならないようにしている。
【００２８】
なお、以上は、ウエザストリップ１２の後端部と、ガラスラン１８の後側の垂直部との衝き合せ部（図４のＰ１）について説明したが、ウエザストリップ１２の前端部と、ガラスラン１８の前側の垂直部との衝き合せ部（図４のＰ２）についても同じ構造となっている。
【００２９】
次に、本実施形態の作用を説明する。
【００３０】
本実施形態では、フロントサイドドア１０のウエザストリップ１２が、フロントサイドドア１０のドアガラス２０とドアインナパネル１０Ｂとをベルトライン１０Ａに沿ってシールするインナウエザストリップ部２２と、フロントサイドドア１０のドアガラス２０とドアアウタパネル１０Ｃとをベルトライン１０Ａに沿ってシールするアウタウエザストリップ部２４と、インナウエザストリップ部２２とアウタウエザストリップ部２４とが、ドアガラス２０の前端部と後端部を囲むように連結した端部シール部３０と、を備えている。
【００３１】
更に、ウエザストリップ１２の端部シール部３０を、ウインドフレーム１４に沿って配設されインナシールリップ１８Ｂとアウタシールリップ１８Ｃとでドアガラス２０を保持するガラスラン１８のインナシールリップ１８Ｂとアウタシールリップ１８Ｃとの間に挿入している。
【００３２】
この結果、ドアガラス２０の前端部と後端部を、ウエザストリップ１２の端部シール部３０とガラスラン１８との双方で支持することができる。このため、ドアガラス２０の前端部と後端部の車幅方向に対する支持剛性が向上する。
【００３３】
また、ウエザストリップ１２の端部シール部３０がドアガラス２０の前端部と後端部を囲んでいるため、ドアガラス２０の車幅方向の揺れに対して、ウエザストリップ１２におけるインナウエザストリップ部２２の上側シールリップ２２Ｂと下側シールリップ２２Ｃと、アウタウエザストリップ部２４の上側シールリップ２４Ｃと下側シールリップ２４Ｄと、が確実に追従する。この結果、ドアガラス２０の車幅方向の移動に対して、ドアガラス２０に対するウエザストリップ１２におけるインナウエザストリップ部２２の上側シールリップ２２Ｂと下側シールリップ２２Ｃと、アウタウエザストリップ部２４の上側シールリップ２４Ｃと下側シールリップ２４Ｄのシール力を向上できる。
【００３４】
このため、本実施形態では、フロントサイドドア１０のベルトライン１０Ａの前後両端部において、車外からの水、埃等の浸入を防ぐことができると共に、車外からの騒音に対しても乗員の耳に近いベルトライン１０Ａの前後両端部において低減できるので商品性の向上となる。更に、フロントサイドドア１０のベルトライン１０Ａの前後両端部において隙間が無くなるため、見栄えも向上する。
【００３５】
また、ガラスラン１８のインナシールリップ１８Ｂに形成した切欠３６とアウタシールリップ１８Ｃに形成した切欠３８に、ウエザストリップ１２の端部シール部３０を挿入するため、ドアガラス２０の摺動抵抗の増加を抑制できると共に、成形後のガラスラン１８に後加工で切欠３６、３８を容易に形成できるため、新たなガラスラン用成形型を必要とせず、コストアップを抑制できる。
【００３６】
また、ウエザストリップ１２の端部シール部３０において、インナウエザストリップ部２２の下側シールリップ２２Ｃの後端部に、図９に破線のハッチングで示す切欠５０が形成されており、この切欠５０の前部５０Ａは、後端部に向って徐々に広幅とされ、切欠５０の後端５０Ｂは下側シールリップ２２Ｃの全幅となっている。また、アウタウエザストリップ部２４の下側シールリップ２４Ｄの後端部には、図１０に破線のハッチングで示す切欠５２が形成されており、この切欠５２の前部５２Ａは、後端部に向って徐々に広幅とされている。この結果、これらの切欠５０、５２によって、ドアガラス２０の昇降時の摺動抵抗が大きくならない。
【００３７】
以上に於いては、本発明を特定の実施形態について詳細に説明したが、本発明は上記実施形態に限定されるものではなく、本発明の範囲内にて他の種々の実施形態が可能であることは当業者にとって明らかである。例えば、上記実施形態では、フロントサイドドア１０のウエザストリップ１２におけるインナウエザストリップ部２２とアウタウエザストリップ部２４とが、ドアガラス２０の前端部と後端部を囲むように連結した端部シール部３０を有する構成としたが、これに代えて、フロントサイドドア１０のウエザストリップ１２におけるインナウエザストリップ部２２とアウタウエザストリップ部２４とが、ドアガラス２０の前端部と後端部との何れか一方のみを囲むように連結した端部シール部３０を有する構成としても良い。
【００３８】
また、上記実施形態では本発明のドアベルトラインシール構造をフロントサイドドアに適用したが、本発明のドアベルトラインシール構造は、フロントサイドドア以外にもリヤサイドドア、バックドア等の他のドアにも適用可能である。
【図面の簡単な説明】
【００３９】
【図１】図４の１−１線に沿った拡大断面図である。
【図２】図１の２−２線に沿った断面図である。
【図３】本発明の一実施形態に係るドアベルトラインシール構造の要部を示す車体斜め前方外側から見た斜視図である。
【図４】本発明の一実施形態に係るドアベルトラインシール構造が適用されたフロントサイドドアを示す車体内側から見た側面図である。
【図５】本発明の一実施形態に係るドアベルトラインシール構造のウエザストリップを示す車体斜め後方内側から見た斜視図である。
【図６】本発明の一実施形態に係るドアベルトラインシール構造のガラスランを示す車体斜め前方外側から見た斜視図である。
【図７】本発明の一実施形態に係るドアベルトラインシール構造のウエザストリップを示す車体斜め後方内側下方から見た斜視図である。
【図８】本発明の一実施形態に係るドアベルトラインシール構造の要部を示す車体斜め後方外側から見た分解斜視図である。
【図９】本発明の一実施形態に係るドアベルトラインシール構造のウエザストリップの一部を示す車体斜め前方外側下方から見た斜視図である。
【図１０】本発明の一実施形態に係るドアベルトラインシール構造のウエザストリップを示す車体下方から見た平面図である。
【符号の説明】
【００４０】
１０    フロントサイドドア
１０Ａ    ベルトライン
１２    ウエザストリップ
１４    ウインドフレーム
１８    ガラスラン
１８Ａ    ガラスランの本体部
１８Ｂ    ガラスランのインナシールリップ
１８Ｃ    ガラスランのアウタシールリップ
１８Ｄ    ガラスランの本体部のインナ側部
１８Ｅ    ガラスランの本体部のアウタ側部
１８Ｆ    ガラスランの本体部の底部
２０    ドアガラス
２２    ウエザストリップのインナウエザストリップ部
２２Ａ    インナウエザストリップ部の基部
２２Ｂ    インナウエザストリップ部の上側シールリップ
２２Ｃ    インナウエザストリップ部の下側シールリップ
２４    ウエザストリップのアウタウエザストリップ部
２４Ａ    アウタウエザストリップのドア取付部
２４Ｂ    アウタウエザストリップの基部
２４Ｃ    アウタウエザストリップの上側シールリップ
２４Ｄ    アウタウエザストリップの下側シールリップ
３０    ウエザストリップの端部シール部
３０Ａ    端部シール部の後壁部
３２    ウエザストリップのインナウエザストリップ部の切欠
３４    ウエザストリップのアウタウエザストリップ部の切欠
３６    ガラスランのインナシールリップの切欠
３８    ガラスランのアウタシールリップの切欠
４０    ウエザストリップの端部シール部の凸部
４２    ガラスランの本体部の切欠
５０    インナウエザストリップ部のシールリップの切欠
５２    アウタウエザストリップ部のシールリップの切欠
【図１】
2005297794.tif 000003
【図２】
2005297794.tif 000004
【図３】
2005297794.tif 000005
【図４】
2005297794.tif 000006
【図５】
2005297794.tif 000007
【図６】
2005297794.tif 000008
【図７】
2005297794.tif 000009
【図８】
2005297794.tif 000010
【図９】
2005297794.tif 000011
【図１０】
2005297794.tif 000012